【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
遊技者が操作することで第１位置と第２位置との間を回転移動する移動部材と、その移動部材に配設され振動を発生可能とされる振動装置と、前記移動部材に配設され遊技者が操作可能に構成される操作手段と、を備え、
前記振動装置の振動の方向と、前記移動部材の回転移動による前記振動装置の移動方向とが互いに傾斜し、
前記操作手段は、前記移動部材が回転移動する方向とは異なる方向で操作可能に構成されることを特徴とする遊技機。
【請求項２】
基板ボックスを備えることを特徴とする請求項１記載の遊技機。
【手続補正２】
【補正対象書類名】明細書
【補正対象項目名】０００２
【補正方法】変更
【補正の内容】
【０００２】
パチンコ機などの遊技機において、遊技者が操作することで第１位置と第２位置との間を移動する移動部材が、振動装置を備える遊技機がある（特許文献１）。
【手続補正３】
【補正対象書類名】明細書
【補正対象項目名】０００３
【補正方法】変更
【補正の内容】
【０００３】
【特許文献１】特開２００１−１２０７４１号公報
【手続補正４】
【補正対象書類名】明細書
【補正対象項目名】０００４
【補正方法】変更
【補正の内容】
【０００４】
しかしながら、上述した従来の遊技機では、振動装置の振動伝達に改良の余地があるという問題点があった。
【手続補正５】
【補正対象書類名】明細書
【補正対象項目名】０００５
【補正方法】変更
【補正の内容】
【０００５】
本発明は、上記例示した問題点を解決するためになされたものであり、振動装置の振動伝達を良好とできる遊技機を提供することを目的とする。
【手続補正６】
【補正対象書類名】明細書
【補正対象項目名】０００６
【補正方法】変更
【補正の内容】
【０００６】
この目的を達成するために本発明の遊技機は、遊技者が操作することで第１位置と第２位置との間を回転移動する移動部材と、その移動部材に配設され振動を発生可能とされる振動装置と、前記移動部材に配設され遊技者が操作可能に構成される操作手段と、を備え、前記振動装置の振動の方向と、前記移動部材の回転移動による前記振動装置の移動方向とが互いに傾斜し、前記操作手段は、前記移動部材が回転移動する方向とは異なる方向で操作可能に構成される。
【手続補正７】
【補正対象書類名】明細書
【補正対象項目名】０００９
【補正方法】変更
【補正の内容】
【０００９】
請求項１記載の遊技機によれば、振動装置の振動伝達を良好にすることができる。
【手続補正８】
【補正対象書類名】明細書
【補正対象項目名】００１０
【補正方法】変更
【補正の内容】
【００１０】
請求項２記載の遊技機によれば、請求項１記載の遊技機の奏する効果に加え、基板ボックスの内部に収納されている制御装置で、操作の検出を行うことができる。
【手続補正９】
【補正対象書類名】明細書
【補正対象項目名】０７３８
【補正方法】変更
【補正の内容】
【０７３８】
遊技機Ａ１からＡ１２，Ｂ１からＢ１１，Ｃ１からＣ６，Ｄ１からＤ７，Ｅ１からＥ５のいずれかにおいて、前記遊技機はパチンコ遊技機とスロットマシンとを融合させたものであることを特徴とする遊技機Ｆ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機などの遊技機において、遊技者が操作することで第１位置と第２位置との間を移動する移動部材が、ギアの歯合により駆動される遊技機がある（例えば、特許文献１：特開２０１４−１４４２１８号公報）。
しかしながら、上述した従来の遊技機では、伝達部材の耐久性に改良の余地があるという問題点があった。
本技術的思想は、上記例示した問題点を解決するためになされたものであり、伝達部材の耐久性の良好な遊技機を提供することを目的とする。
＜手段＞
この目的を達成するために、技術的思想１記載の遊技機は、遊技者が操作することで第１位置と第２位置との間を移動する移動部材と、その移動部材を移動させる駆動力を発生させる駆動装置と、その駆動装置から生じる駆動力を前記移動部材に伝達する伝達部材と、を備える遊技機であって、前記移動部材が一の方向に操作されることで、前記移動部材が、前記伝達部材から離反する方向に移動する。
技術的思想２記載の遊技機は、技術的思想１記載の遊技機において、前記伝達部材が、第１軸に偏心して軸支され、前記第１軸を中心に回転される部材から構成される。
技術的思想３記載の遊技機は、技術的思想２記載の遊技機において、前記移動部材を特定の方向に移動させる付勢力を発生する第１付勢部材を備え、前記特定の方向が、前記移動部材および前記伝達部材を近接させる方向である。
＜効果＞
技術的思想１記載の遊技機によれば、伝達部材の耐久性を良好にすることができる。
技術的思想２記載の遊技機によれば、技術的思想１記載の遊技機の奏する効果に加え、伝達部材が負荷を受ける際の姿勢によって伝達部材の耐久性をより良好にすることができる。
技術的思想３記載の遊技機によれば、技術的思想２記載の遊技機の奏する効果に加え、伝達部材の構成を演出に活かすことができる。
【手続補正１０】
【補正対象書類名】明細書
【補正対象項目名】０７３９
【補正方法】変更
【補正の内容】
【０７３９】
１０                                              パチンコ機（遊技機）
３１０                                            首振り操作部材（操作部材の一部、入力装置の一部）
３１１ａ                                          挿通孔（係止部）
３１３ｄ                                          第２センサ部材（検出装置）
３１７                                            レンズ部材（入力装置の一部、入力部、押し込み部材、操作手段）
３３０、３３３０、５３３０、８３３０、１０３３０  内側ケース部材（支持部材の一部）
３３１ｄ１                                        レバー支持軸（第１軸、第２軸）
３３１ｄ２                                        偏心カム軸（第１軸）
３３３、２３３３、４３３３、６３３３              偏心カム部材（伝達部材）
３３３ｂ                                          筒状部（円筒部）
３３５                                            第１駆動装置（駆動装置）
３３６、４３３６、５３３６、８３３６              ロック部材（規制部材）
３３８                                            ギアダンパ（制動手段）
３４０、２３４０、３３４０、４３４０、７３４０、９３４０  レバー部材（移動部材の一部）
３５０、４３５０、７３５０、                      剥離部材（被規制部材の一部）
３６３                                            軸支棒（第２軸）
３６４                                            緩衝部材
３６６                                            振動装置（演出部材の一部、振動装置）
３６６ｂ                                          押し付け部材（振動部）
２３３３ａ                                        本体部材（回転ギア）
２３３３ｂ                                        カム部材（偏心カム）
５３３６ａ１                                      湾曲壁部（凹設部）
ＣＳ１                                            振動コイルスプリング（第２付勢装置）
ＣＳ２                                            押し込みコイルスプリング（第１付勢装置）
Ｍ４１                                            電磁石部材（電磁石）
ＳＰ１、ＳＰ２１、ＳＰ３１、ＳＰ４１、ＳＰ１０１  ねじりバネ（第１付勢部材）